(57)【特許請求の範囲】
【請求項１】
電子装置において使用するためのメモリカードにおいて、
前記電子装置は、前記電子装置の外部にデジタルデータをエクスポートできない内蔵プロセッサを備え、
前記メモリカードは、
ワイヤレスモジュールと、
前記ワイヤレスモジュールを通して、遠隔ワイヤレス対応装置からワイヤレスに受信された命令にしたがって、前記電子装置の前記内蔵プロセッサを制御するように構成されている中央プロセッサとを具備し、
前記中央プロセッサは、表示のために、前記ワイヤレスモジュールを通して、インデックス画像ファイルを前記遠隔ワイヤレス対応装置にワイヤレスに送るように構成されており、前記インデックス画像ファイルは、複数のメニューアイテムを含むメモリカード。
【請求項２】
前記中央プロセッサは、前記電子装置の前記内蔵プロセッサから、画像センサのリアルタイムビューを要求し、前記ワイヤレスモジュールを通して、前記リアルタイムビューを前記遠隔ワイヤレス対応装置に向けてワイヤレスに送信するように構成されている、請求項１記載のメモリカード。
【請求項３】
前記中央プロセッサは、前記電子装置の前記内蔵プロセッサを介して、３次元空間において移動するように前記画像センサに命令するように構成されている、請求項２記載のメモリカード。
【請求項４】
前記中央プロセッサは、前記電子装置の前記内蔵プロセッサを介して、前記画像センサを制御するように構成されている、請求項２または３記載のメモリカード。
【請求項５】
前記中央プロセッサは、前記ワイヤレスモジュールを通して、前記遠隔ワイヤレス対応装置からポジションおよび／またはテキストのデータをワイヤレスに受信するように構成されており、前記ポジションおよび／またはテキストのデータは、前記画像センサにより取り込まれた画像に関係している、請求項４記載のメモリカード。
【請求項６】
前記中央プロセッサは、表示のために、前記ワイヤレスモジュールを通して、前記メモリカード中に記憶されているサムネイルバージョンの画像を前記遠隔ワイヤレス対応装置にワイヤレスに送信するように構成されている、請求項１ないし５のいずれか１項記載のメモリカード。
【請求項７】
前記中央プロセッサは、前記遠隔ワイヤレス対応装置上に表示されている対応するサムネイルバージョンの画像が選択されたときに、前記ワイヤレスモジュールを通して、前記メモリカードから遠隔電子装置に直接、画像をワイヤレスに送信するように構成されている、請求項６記載のメモリカード。
【請求項８】
前記中央プロセッサは、アクセスポイントの利用可能性を検出し、利用可能なアクセスポイントの検出のときに、前記ワイヤレスモジュールと前記アクセスポイントとの間の通信を確立するように構成されている、請求項６または７記載のメモリカード。
【請求項９】
前記中央プロセッサは、前記メモリカードからの前記画像の直接のワイヤレス送信のための遠隔電子装置がなくても、アクセスポイントの利用可能性を自動的に検索するように構成されている、請求項８記載のメモリカード。
【請求項１０】
複数の利用可能なアクセスポイントの検出のときに、前記中央プロセッサは、表示のために、前記ワイヤレスモジュールを通して、前記複数の利用可能なアクセスポイントに関係するＩＤを、前記遠隔ワイヤレス対応装置にワイヤレスに送信するように構成されている、請求項８または９記載のメモリカード。
【請求項１１】
前記中央プロセッサは、前記遠隔ワイヤレス対応装置上に表示されている前記複数の利用可能なアクセスポイントのうちの１つの対応する識別が選択されたときに、そのアクセスポイントとの通信を確立するように、前記ワイヤレスモジュールに命令するように構成されている、請求項１０記載のメモリカード。
【請求項１２】
前記中央プロセッサは、前記ワイヤレスモジュールと前記アクセスポイントとの間の前記通信が確立されたときに、前記ワイヤレスモジュールとそのアクセスポイントとを通して、前記メモリカードから予め定められているウェブサイトもしくはサーバに、画像をワイヤレスに送信するように構成されており、前記画像は、前記遠隔ワイヤレス対応装置上に表示されている選択されたサムネイル画像に対応している、請求項８または１１記載のメモリカード。
【請求項１３】
前記中央プロセッサは、前記メモリカードから前記遠隔電子装置または前記予め定められているウェブサイトもしくはサーバへの前記画像転送の完了のときに、確認信号を前記遠隔ワイヤレス対応装置に送るように構成されている、請求項７または１２記載のメモリカード。
【請求項１４】
前記遠隔ワイヤレス対応装置上に表示されている前記複数のメニューアイテムのうちの１つが選択されたときに、前記中央プロセッサは、
ｉ）前記電子装置の前記内蔵プロセッサから、前記画像センサのリアルタイムビューを要求し、前記ワイヤレスモジュールを通して、前記リアルタイムビューを遠隔ワイヤレス対応装置に向けてワイヤレスに送信することと、
ｉｉ）表示のために、前記ワイヤレスモジュールを通して、前記メモリカード中に記憶されているサムネイルバージョンの画像を、前記遠隔ワイヤレス対応装置にワイヤレスに送信することと
からなるグループから選択された機能を実行するように構成されている、請求項１記載のメモリカード。
【請求項１５】
請求項１ないし１４のいずれか１項記載の前記メモリカードと、遠隔電子装置の外部にデジタルデータを独立的にエクスポートできない内蔵プロセッサとを備える前記遠隔電子装置を制御するワイヤレス対応装置において、
前記ワイヤレス対応装置は、命令にしたがって、前記遠隔電子装置を制御するように、前記遠隔電子装置に命令をワイヤレスに送るように構成されているワイヤレス対応装置。
【請求項１６】
前記ワイヤレス対応装置は、電気通信対応装置および／またはナビゲーションシステムである、請求項１５記載のワイヤレス対応装置。
【請求項１７】
電子装置を制御する方法において、
前記電子装置は、請求項１ないし１４のいずれか１項記載の前記メモリカードと、前記電子装置の外部にデジタルデータを独立的にエクスポートできない内蔵プロセッサとを備え、
前記方法は、
前記メモリカードが、前記ワイヤレスモジュールを通して、遠隔ワイヤレス対応装置から命令をワイヤレスに受信することと、
前記メモリカードが、前記受信された命令にしたがって、前記電子装置を制御することとを含む方法。
【請求項１８】
前記メモリカードが前記電子装置を制御することは、前記メモリカードの中央プロセッサが、前記電子装置の前記内蔵プロセッサから、画像センサのリアルタイムビューを要求し、表示のために、前記ワイヤレスモジュールを通して、前記リアルタイムビューを前記遠隔ワイヤレス対応装置に向けてワイヤレスに送信することを含む、請求項１７記載の方法。
【請求項１９】
前記中央プロセッサが前記内蔵プロセッサを制御することは、前記中央プロセッサが、３次元空間において移動するように前記画像センサに命令することを含む、請求項１８記載の方法。
【請求項２０】
前記中央プロセッサが前記内蔵プロセッサを制御することは、前記中央プロセッサが、前記メモリカード中に記憶させるための画像を取り込むように前記画像センサに命令することを含む、請求項１８または１９記載の方法。
【請求項２１】
前記メモリカードは、前記遠隔ワイヤレス対応装置からポジションデータをワイヤレスに受信し、前記ポジションデータは、前記電子装置により取り込まれた前記画像に関係していることと、
前記メモリカードは、前記遠隔ワイヤレス対応装置からテキストデータをワイヤレスに受信し、前記テキストデータは、前記電子装置により取り込まれた前記画像に関係していることと
からなるグループから選択された少なくとも１つをさらに含む、請求項２０記載の方法。
【請求項２２】
前記メモリカードは、表示のために、前記メモリカード中に記憶されているサムネイルバージョンの画像を前記遠隔ワイヤレス対応装置にワイヤレスに送信することと、
前記メモリカードは、前記遠隔ワイヤレス対応装置上に表示されている対応するサムネイルバージョンの画像が選択されたときに、前記メモリカードから遠隔電子装置に直接、画像をワイヤレスに送信することと、
前記メモリカードは、アクセスポイントの利用可能性を検出し、利用可能なアクセスポイントの検出のときに、前記ワイヤレスモジュールと前記アクセスポイントとの間の通信を確立することと
からなるグループから選択された少なくとも１つをさらに含む、請求項１７ないし２１のいずれか１項記載の方法。
【請求項２３】
前記メモリカードからの前記画像の直接のワイヤレス送信のための前記遠隔電子装置がなくても、前記アクセスポイントの利用可能性を検出する前記メモリカードのステップは自動的である、請求項２２記載の方法。
【請求項２４】
前記メモリカードは、複数の利用可能なアクセスポイントの検出のときに、前記遠隔ワイヤレス対応装置のスクリーン上での表示のために、前記ワイヤレスモジュールを通して、前記複数の利用可能なアクセスポイントに関係するＩＤを、前記遠隔ワイヤレス対応装置にワイヤレスに送信することと、
前記メモリカードは、前記遠隔ワイヤレス対応装置上に表示されている前記複数の利用可能なアクセスポイントのうちの１つの対応する識別が選択されたときに、そのアクセスポイントとの通信を確立することと、
前記メモリカードは、前記ワイヤレスモジュールと前記アクセスポイントとの間の通信が確立されたときに、前記ワイヤレスモジュールとそのアクセスポイントとを通して、前記メモリカードから予め定められているウェブサイトもしくはサーバに、画像をワイヤレスに送信し、前記画像は、前記遠隔ワイヤレス対応装置の前記スクリーン上に表示されている選択されたサムネイル画像に対応していることと、
前記メモリカードは、前記メモリカードから前記遠隔電子装置または前記予め定められているウェブサイトもしくはサーバへの前記画像転送の完了のときに、確認信号を前記遠隔ワイヤレス対応装置に送ることと、
前記メモリカードは、表示のために、インデックス画像ファイルを前記遠隔ワイヤレス対応装置に送り、前記インデックス画像ファイルは、複数のメニューアイテムを含むことと
からなるグループから選択された少なくとも１つをさらに含む、請求項２２または２３記載の方法。
【請求項２５】
前記遠隔ワイヤレス対応装置のスクリーン上に表示されている前記複数のメニューアイテムのうちの１つが選択されたときに、前記方法は、
ｉ）前記メモリカードの前記中央プロセッサが、前記電子装置の前記内蔵プロセッサから、前記画像センサのリアルタイムビューを要求し、表示のために、前記ワイヤレスモジュールを通して、前記リアルタイムビューを前記遠隔ワイヤレス対応装置に向けてワイヤレスに送信することと、
ｉｉ）前記メモリカードの前記中央プロセッサが、表示のために、前記ワイヤレスモジュールを通して、前記メモリカード中に記憶されているサムネイルバージョンの画像を、前記ワイヤレスモジュールを通して前記遠隔ワイヤレス対応装置に送信することと
からなるグループから選択された少なくとも１つをさらに含む、請求項２４記載の方法。
【請求項２６】
電子装置において、
請求項１ないし１４のいずれか１項記載の前記メモリカードと、
前記電子装置の外部にデジタルデータを独立的にエクスポートできない内蔵プロセッサとを具備する電子装置。
【請求項２７】
リアルタイムビューを取り込む画像センサをさらに具備する、請求項２６記載の電子装置。
【発明の詳細な説明】
【発明の分野】
【０００１】
本発明は、電子装置において使用するためのメモリカードと、メモリカードを備える電子装置を制御する方法とに関し、さらに詳細には、排他的ではないが、デジタルカメラおよび／またはデジタルビデオレコーダにおいて使用するためのメモリカードと、遠隔ワイヤレス対応装置の使用によって、メモリカードを備えるデジタルカメラおよび／またはデジタルビデオレコーダを制御する方法とに関する。
【発明の背景】
【０００２】
デジタルカメラ、デジタルビデオレコーダのような電子デバイスを制御するために、制御のために電子デバイスの近くにいるユーザが必要とされる。例えば、ユーザがデジタルカメラの近くにいる場合にのみ、ユーザは、デジタルカメラを使用して画像を取り込むことができ、または、デジタルカメラ中に記憶されている画像を見ることができる。
【０００３】
これは、常に都合がよいわけではない。例えば、デジタルカメラのユーザがユーザ自身の写真を撮影したい場合に、ユーザは、ユーザのデジタルカメラを操作するように第三者に要求しなければならず、または、（利用可能であれば）デジタルカメラにおける時間遅延機能を使用しなければならない。時間遅延機能を使用する場合、ユーザが写真撮影に対して十分に準備ができていない可能性があり、これは、写真がうまく撮影されないことを意味する。
【０００４】
本発明は、そこで、少なくとも不都合を緩和させる、電子装置において使用するための向上したメモリカードと、また、メモリカードを備える電子装置を制御する方法とを提案する。
【発明の概要】
【０００５】
一般的に見て、本発明は、遠隔ワイヤレス対応装置からワイヤレスに受信する命令にしたがって電子装置を制御する、電子装置において使用するためのメモリカードを提案する。
【０００６】
第１の例示的な態様にしたがって、電子装置において使用するためのメモリカードを提供する。電子装置は、電子装置の外部にデジタルデータをエクスポートできない内蔵プロセッサを備え、メモリカードは、ワイヤレスモジュールと、ワイヤレスモジュールを通して、遠隔ワイヤレス対応装置からワイヤレスに受信された命令にしたがって、電子装置の内蔵プロセッサを制御するように構成されている中央プロセッサとを具備する。
【０００７】
別の例示的な態様にしたがって、上述したメモリカードと、遠隔電子装置の外部にデジタルデータを独立的にエクスポートできない内蔵プロセッサとを備える遠隔電子装置を制御するワイヤレス対応装置を提供する。ワイヤレス対応装置は、命令にしたがって、遠隔電子装置を制御するように、遠隔電子装置に命令をワイヤレスに送るように構成されている。
【０００８】
さらなる例示的な態様にしたがって、電子装置を制御する方法を提供する。電子装置は、上述したメモリカードと、電子装置の外部にデジタルデータを独立的にエクスポートできない内蔵プロセッサとを備え、方法は、ワイヤレスモジュールを通して、遠隔ワイヤレス対応装置から命令をワイヤレスに受信するメモリカードのステップと、受信された命令にしたがって、電子装置を制御するメモリカードのステップとを含む。
【０００９】
最後の例示的な態様にしたがって、上述したメモリカードと、電子装置の外部にデジタルデータを独立的にエクスポートできない内蔵プロセッサとを具備する電子装置を提供する。
【００１０】
内蔵プロセッサは、電子装置の外部にデジタルデータを独立的にエクスポートできないことから、遠隔ワイヤレス対応装置からワイヤレスに受信された命令に基づいて、電子装置の内蔵プロセッサを制御する中央プロセッサを備えるメモリカードを提供することにより、電子装置の遠隔制御および動作が可能である。有益なことに、提案したメモリカードは、電子装置の使用量の融通性を向上させる。
【００１１】
本発明のいくつかのオプション的特徴は、従属請求項において規定されている。
【００１２】
例えば、メモリカードの中央プロセッサは、受信された命令に関して機能し、遠隔装置の内蔵プロセッサから画像センサのリアルタイムビューを要求し、リアルタイムビューを遠隔ワイヤレス対応装置に向けてワイヤレスに送信してもよい。
【００１３】
それゆえ、ユーザは、ユーザ自身の写真を撮影する前に、遠隔ワイヤレス対応装置上でリアルタイムビューを見ることができる。有益なことに、これは、適度にうまく撮影された写真を支援する。
【００１４】
さらに、メモリカードは、表示のために、メモリカード中に記憶されている対応するサムネイルバージョンの画像を遠隔ワイヤレス対応装置にワイヤレスに送信する遠隔ワイヤレス対応装置により遠隔で制御できる。ユーザは、その後、遠隔ワイヤレス対応装置上で選択されたサムネイルに対応する画像を、遠隔電子装置に直接ワイヤレスに送るか、または、アクセスポイントを通して、予め定められているウェブサイトもしくはサーバに間接的にワイヤレスに送るように、メモリカードに命令してもよい。
【図面の簡単な説明】
【００１５】
単に例として、以下に本発明の実施形態を説明する。  
【図１】図１は、メモリカードを備える電子装置に命令するための、遠隔ワイヤレス対応装置により制御可能なメモリカードの好ましい実施形態のブロックダイヤグラムを示している。
【図２】図２は、図１のメモリカードのブロックダイヤグラムを示している。
【図３】図３は、図１の電子装置のブロックダイヤグラムを示している。
【図４】図４は、図１の遠隔ワイヤレス対応装置のブロックダイヤグラムを示している。
【図５ａ】図５ａは、図１から４の装置の動作のフローチャートである。
【図５ｂ】図５ｂは、図１から４の装置の動作のフローチャートである。
【図５ｃ】図５ｃは、図１から４の装置の動作のフローチャートである。
【実施形態の詳細な説明】
【００１６】
図１は、電子装置１０１に動作可能に接続しているメモリカード１０３のブロックダイヤグラムを示している。電子装置１０１は、デジタルカメラまたはデジタルビデオレコーダであってもよい。メモリカード１０３を通して、電子装置１０１は、遠隔ワイヤレス対応装置１０５によりワイヤレスに制御することができる。遠隔ワイヤレス対応装置１０５は、移動電話機またはカーナビゲーションシステムのような、電気通信対応装置であってもよい。代替として、これは、ラップトップコンピュータ、ノートブックコンピュータ、ＰＤＡ，デジタルダイアリー、またはこれらに類するものであってもよい。特に、メモリカード１０３は、遠隔ワイヤレス対応装置１０５からワイヤレスに受信された命令にしたがって、電子装置１０１を制御する。使用するワイヤレスプロトコルは、例えば、ブルートゥース（登録商標）およびＷｉ−Ｆｉ（登録商標）のような、何らかの適切なワイヤレスプロトコルであってもよい。唯一の要件は、メモリカード１０３および遠隔ワイヤレス対応装置１０５の双方が同一のプロトコルを使用することである。
【００１７】
図２は、中央プロセッサ２０１を備えるメモリカード１０３のブロックダイヤグラムを示している。メモリカード１０３はまた、記憶モジュール２０３と、カードインターフェース２０５と、ワイヤレスモジュール２０７とを備えており、これらのすべては、中央プロセッサ２０１に動作可能に接続されている。ワイヤレスモジュール２０７は、Ｗｉ−Ｆｉ、ブルートゥース、またはこれらに類するもののような、さまざまなワイヤレス標準規格により構成されている。
【００１８】
図３は、電子装置１０１のブロックダイヤグラムを示しており、電子装置１０１は、内蔵プロセッサ３０１と、画像センサ３０５と、カードインターフェース３０３とを備えている。内蔵プロセッサ３０１は、電子装置１０１の外部にデジタルデータを独立的にエクスポートすることができない。独立的にエクスポートすることは、内蔵プロセッサ３０１が、電子装置１０１からコンピュータへのデジタルデータのエクスポートを可能にする関連する動作可能なソフトウェアを有するコンピュータのようなインテリジェントホストに、電子装置１０１を動作可能に接続させる必要があることを意味し、これにより、エクスポートすることは、コンピュータの制御の下で実行される。電子装置１０１のカードインターフェース３０３は、メモリカード１０３のカードインターフェース２０５を介して、メモリカード１０３とインターフェースするためのものである。メモリカード１０３が、電子装置１０１に動作可能に接続するときはいつでも、カードインターフェース３０３は、メモリカード１０３を通常のメモリカードとして見て、内蔵プロセッサ３０１からメモリカード１０３の記憶モジュール２０３にデジタルデータを転送するための、通常の方法で、メモリカード１０３とインターフェースする。例えば、内蔵プロセッサ３０１は、画像センサ３０５により取り込んだ画像を受け取ってすぐに、記憶モジュール２０３中に記憶させるために、受け取った画像をメモリカード１０３に誘導する。
【００１９】
図４は、遠隔ワイヤレス対応装置１０５のブロックダイヤグラムを示している。遠隔ワイヤレス対応装置１０５は、プロセッサ４０１と、キーパッドまたはタッチスクリーンのような、制御装置４０３と、ディスプレイ４０５と、ワイヤレスモジュール４０７とを備える。メモリカード１０３のように、遠隔ワイヤレス対応装置１０５のワイヤレスモジュール４０７は、Ｗｉ−Ｆｉ、ブルートゥース、またはこれらに類するもののような、さまざまなワイヤレス標準規格により動作可能である。
【００２０】
遠隔ワイヤレス対応装置１０５は、制御装置４０３を通して、メモリカード１０３との接続を開始し５０１、これは、遠隔ワイヤレス対応装置１０５が、メモリカード１０３をワイヤレスにおよび直接に検出し接続するように、ハンドシェーキング手順をトリガする５０３。いったん、メモリカード１０３および遠隔ワイヤレス対応装置１０５のそれぞれのワイヤレスモジュール２０７、４０７の間の接続が確立されると、メモリカード１０３の中央プロセッサ２０１は、ワイヤレスモジュール４０７を通して、メモリカード１０３から遠隔ワイヤレス対応装置１０５にインデックス画像ファイルを送るように、ワイヤレスモジュール２０７に命令する５０５。したがって、遠隔ワイヤレス対応装置１０５のプロセッサ４０１は、インデックス画像ファイルを受信し、インデックス画像ファイルをディスプレイ４０５に送る。インデックス画像ファイルは、電子装置１０１を遠隔で制御する１つ以上のメニューアイテムを含む。１つ以上のメニューアイテムの各々は、インデックス画像ファイル内の別個の画像であり、例えば、  
ａ）メニューアイテム１−リアルタイムビューイング  
ｂ）メニューアイテム２−データビューイング  
を含んでいてもよい。  
遠隔ワイヤレス対応装置１０５上の制御装置４０３を使用して、メニューアイテムのうちの１つを選択し５０７、そのときに、プロセッサ４０１は、メモリカード１０３の中央プロセッサ２０１に、（そのワイヤレスモジュール２０７を通して）選択されたメニューアイテムを通知するように、ワイヤレスモジュール４０７に命令する。インデックス画像ファイル中の各々のメニューアイテムは、一意的な画像識別子を有することから、メモリカード１０３のプロセッサ２０１は、選択されたメニューアイテム１を認識して５０９、関係する命令にしたがって、電子装置１０１を制御する。
【００２１】
ａ）メニューアイテム１−リアルタイムビューイング
メニューアイテム１が選択された場合５１１、メモリカード１０３の中央プロセッサ２０１は、電子装置１０１の内蔵プロセッサ３０１から、画像センサ３０５のリアルタイムビューを要求し、それぞれのワイヤレスモジュール２０７、４０７を通して、受信したリアルタイムビューを遠隔ワイヤレス対応装置１０５に向けてワイヤレスに送信する。遠隔ワイヤレス対応装置１０５のプロセッサ４０１は、その後、画像センサ３０５のリアルタイムビューを受信し、ディスプレイ４０５に向けてリアルタイムビューを誘導する。
【００２２】
オプションとして、もし電子装置１０１の画像センサ３０５が、異なる軸において移動するための内蔵メカニズムを有するならば、遠隔ワイヤレス対応装置１０５上の制御装置４０３をまた使用して、３次元空間における画像センサ３０５の位置（したがって、遠隔ワイヤレス対応装置１０５上に表示されるリアルタイムビュー）を制御してもよい。
【００２３】
さらに、中央プロセッサ２０１は、ワイヤレスモジュール２０７、４０７を通して、表示するために、第２のインデックス画像ファイルを遠隔ワイヤレス対応装置１０５にワイヤレスに送る。第２のインデックス画像ファイルは、電子装置１０１を遠隔で制御するための１つ以上のサブメニューアイテムを含み、１つ以上のサブメニューアイテムは、遠隔ワイヤレス対応装置１０５上に表示されているリアルタイムビュー上に重畳されている。１つ以上のサブメニューアイテムの各々は、インデックス画像ファイル内の別個の画像であり、例えば、  
ａ）サブメニューアイテム１−画像を取り込む  
ｂ）サブメニューアイテム２−ビデオを記録  
を含んでもよい。
【００２４】
さらに、遠隔ワイヤレス対応装置１０５上の制御装置４０３を使用して、所望のサブメニューアイテムを選択し５１３、そのときに、プロセッサ４０１は、そのワイヤレスモジュール２０７を通して、メモリカード１０３の中央プロセッサ２０１に、選択されたメニューアイテムを通知するように、ワイヤレスモジュール４０７に命令する。インデックス画像ファイル中の各サブメニューアイテムは、一意的な画像識別子を有することから、メモリカード１０３のプロセッサ２０１は、再び、選択されたサブメニューアイテムを認識して５１５、選択されたサブメニューアイテムにしたがって、電子装置１０１を制御する。
【００２５】
サブメニューアイテム１が選択された場合５１７、命令はすぐに、遠隔ワイヤレス対応装置１０５のプロセッサ４０１と、それぞれのワイヤレスモジュール２０７、２０４とを通して、メモリカード１０３の中央プロセッサ２０１に伝わる。したがって、中央プロセッサ２０１は、電子装置１０１の画像センサ３０５に、画像を取り込むように命令するように進む。サブメニューアイテム１の選択と画像の取り込みとの間にわずかな時間遅延があるかもしれないが、時間遅延は著しいものではないはずである。
【００２６】
有益なことに、ユーザ自身の写真、または、ユーザの友人のグループの写真を撮影することを望むユーザは、ユーザの代わりに電子装置１０１を操作するように第三者に頼むことなく、または、利用可能である場合に時間遅延機能に頼ることなく、遠隔ワイヤレス対応装置１０５上の制御装置４０３を介して、都合よくそのように写真を撮影することが可能である。さらに、ユーザは、写真を撮影するときに、遠隔ワイヤレス対応装置１０５のディスプレイ４０５上でリアルタイムビューを見ることができることから、確実に写真を適度にうまく撮影することも可能である。
【００２７】
画像を取り込み、メモリカード１０３の記憶モジュール２０３中に記憶した後に、中央プロセッサ２０１は、表示のために、ワイヤレスモジュール２０７、４０７を通して、第３のインデックス画像ファイルを遠隔ワイヤレス対応装置１０５にワイヤレスに送る。以前のインデックス画像ファイルのように、第３のインデックス画像ファイルも１つ以上のサブメニューアイテムを含む。１つ以上のサブメニューアイテムの各々は、インデックス画像ファイル内の別個の画像であり、例えば、
ａ）サブメニューアイテム１Ａ−画像ネームを入力  
ｂ）サブメニューアイテム１Ｂ−画像上にテキストを追加  
ｃ）サブメニューアイテム１Ｃ−ポジションデータを追加  
ｄ）サブメニューアイテム１Ｄ−出る  
を含んでいてもよい。
【００２８】
さらに、遠隔ワイヤレス対応装置１０５上の制御装置４０３は、所望のサブメニューアイテムを選択する６０１ために使用され、そのときに、プロセッサ４０１が、そのワイヤレスモジュール２０７を通して、メモリカード１０３の中央プロセッサ２０１に選択されたメニューアイテムを通知するようにワイヤレスモジュール４０７に命令する。インデックス画像ファイル中の各サブメニューアイテムが一意的な画像識別子を有することから、メモリカード１０３のプロセッサ２０１は、再び、選択されたサブメニューアイテムを認識して６０３、選択されたサブメニューアイテムにしたがって、電子装置１０１を制御する。
【００２９】
遠隔ワイヤレス対応装置１０５の制御装置４０３を介して、サブメニューアイテム１Ａが選択された場合６０５、遠隔ワイヤレス対応装置１０５上の英数字の制御装置４０３を介して、取り込んだ画像のネームを入力し、メモリカード１０３の中央プロセッサ２０１にワイヤレスに送ることが可能である。これは、遠隔ワイヤレス対応装置１０５のプロセッサ４０１とそれぞれのワイヤレスモジュール２０７、４０７を介して行われることを正しく認識できる。
【００３０】
画像が撮影されてすぐに、画像のネームを入力することにより、ユーザは、関連する日付、時間、および場所のような、画像の設定に基づいて、後のステージにおいてそれらの設定を思い出す代わりに、より簡単に適切なネームを提供できる。
【００３１】
サブメニューアイテム１Ｂが選択された場合６０７、遠隔ワイヤレス対応装置１０５上の英数字の制御装置４０３を介して、テキストデータを再び入力し、メモリカード１０３にワイヤレスに送って、取り込んだ画像上に同一のテキストデータを生成することが可能である。
【００３２】
画像上に関連するテキストデータを追加することにより、ユーザは、有益なことに、ユーザが、後のステージにおいて、それらの画像を再び訪れるときはいつでも、画像に関係する記憶すべきイベントをユーザが確実に思い出すようになる。
【００３３】
サブメニューアイテム１Ｃが選択された場合６０９、遠隔ワイヤレス対応装置１０５が、移動電話機またはＧＰＳナビゲーションシステムのような、電気通信対応デバイスであると、ＧＰＳデータのようなポジションデータはメモリカード１０３にワイヤレスに送られる。オプションとして、メモリカード１０３からこれらの画像を受信するパーソナルコンピュータは、関連するソフトウェアを有し、それに応じてＧＰＳデータを処理して、取り込まれた画像のロケーションを提供してもよい。これは、例えば、グーグルマップ（登録商標）のようなシステムと組み合わせて、ロケーションに関連するタイトルを与えてもよい。この方法において、これは、座標ではなくむしろタイトル（例えば、ルーブル美術館）を与えることができる。
【００３４】
サブメニューアイテム１Ｄが選択された場合６１１、遠隔ワイヤレス対応装置１０５とメモリカード１０３との間の通信は切断され、遠隔ワイヤレス対応装置１０５は、それに応じて、そのオリジナル機能を再開する。
【００３５】
サブメニューアイテム２（“ビデオを録画”）が選択された場合５１９、命令は、同様に、遠隔ワイヤレス対応装置１０５のプロセッサ４０１、および、それぞれのワイヤレスモジュール２０７、４０７を通して、メモリカード１０３の中央プロセッサ２０１に、直ちに伝えられる。したがって、中央プロセッサ２０１は、遠隔ワイヤレス対応装置１０５のディスプレイ４０５上にリアルタイムで見えるビデオを録画するように、電子装置１０１の画像センサ３０５に命令するように進む。テキストおよび／またはポジションデータの入力のような、たった今上述した、メモリカード１０３の他の機能もまた、サブメニューアイテム２が選択されたイベント５１９における対応するステップ６０２、６０４、６０８、６１０、６１１に適用する。
【００３６】
ｂ）メニューアイテム２−データビューイング
メニューアイテム２が選択された場合５０２、メモリカード１０３の中央プロセッサ２０１は、表示のために、記憶モジュール２０３中に記憶されているサムネイルバージョンの画像を遠隔ワイヤレス対応装置１０５にワイヤレスに送信する。
【００３７】
遠隔ワイヤレス対応装置１０５上の制御装置４０３を介して、あるサムネイルが選択されたとき５０４、メモリカード１０３の中央プロセッサ２０１は、遠隔ワイヤレス対応装置１０５のプロセッサ４０１と、それぞれのワイヤレスモジュール２０７、４０７とを通してそのように通知される。中央プロセッサ２０１は、その後、表示のために、第２のインデックス画像ファイルを遠隔ワイヤレス対応装置１０５にワイヤレスに送る５０６。第２のインデックス画像ファイルは、メモリカード１０３を遠隔で制御するために、１つ以上のサブメニューアイテムを含む。１つ以上のサブメニューアイテムの各々は、第２のインデックス画像ファイル内の別個の画像であり、例えば、
ａ）サブメニューアイテム１−直接のワイヤレス転送  
ｂ）サブメニューアイテム２−間接のワイヤレス転送  
を含んでいてもよい。
【００３８】
さらに、遠隔ワイヤレス対応装置１０５上の制御装置４０３は、所望のサブメニューアイテムを選択するために使用され５０８、そのときに、プロセッサ４０１が、そのワイヤレスモジュール２０７を通して、メモリカード１０３の中央プロセッサ２０１に選択されたメニューアイテムを通知するようにワイヤレスモジュール４０７に命令する。インデックス画像ファイル中の各サブメニューアイテムが一意的な画像識別子を有することから、メモリカード１０３のプロセッサ２０１は、再び、選択されたサブメニューアイテムを認識して５１０、選択されたサブメニューアイテムにしたがって、電子装置１０１を制御する。
【００３９】
遠隔ワイヤレス対応装置１０５上の制御装置４０３を使用して、サブメニューアイテム１が選択された場合５１２、メモリカード１０５の中央プロセッサ２０１は、それに応じて、メモリカード１０３と同一または類似したメモリカードを持つ近くの遠隔電子装置をスキャンするように、ワイヤレスモジュール２０７に命令する。１つ以上のこのような電子装置が検出された場合７０１、中央プロセッサ２０１は、その後、検出された遠隔電子装置中のメモリカードのそれぞれの識別子を集約する７０３。中央プロセッサ２０１は、その後、表示のために、それらの識別子を遠隔ワイヤレス対応装置１０５にワイヤレスに送る。それらの検出された識別子の各々は、認識７０５のために一意的であるべきである。遠隔ワイヤレス対応装置１０５上の制御装置４０３を介して、特定のメモリカードの識別子を選択することにより、ユーザは、メモリカード１０３を遠隔で制御して、遠隔ワイヤレス対応装置１０５上の選択されたサムネイルに対応する画像を、選択されたメモリカードを持つ遠隔電子装置に直接ワイヤレスに転送できる７０７。
【００４０】
遠隔ワイヤレス対応装置１０５とメモリカード１０３との間の通信は、その後切断され７０９、遠隔ワイヤレス対応装置１０５は、それに応じて、そのオリジナル機能を再開する。
【００４１】
オプションとして、電子装置１０１中で使用されている近くのメモリカード１０３に対する適切な識別子を入力するために、遠隔ワイヤレス対応装置１０５を使用してもよい。さらに、識別子は、遠隔ワイヤレス対応装置１０５の英数字の制御装置４０３を使用して入力でき、プロセッサ４０１およびそれぞれのワイヤレスモジュール２０７、４０７を通して、その近くのメモリカード１０３の中央プロセッサ２０１にワイヤレスに送ることができる。
【００４２】
遠隔ワイヤレス対応装置１０５の制御装置４０３を使用して、サブメニューアイテム２を選択することにより７０２、遠隔ワイヤレス対応装置１０５は、代替的に、アクセスポイントの利用可能性を検出するようにワイヤレスモジュール２０７に命令するように、メモリカード１０３の中央プロセッサ２０１を制御できる。利用可能なアクセスポイントの検出のときに、ワイヤレスモジュール２０７は、そのアクセスポイントとの通信を確立する。
【００４３】
１つより多い利用可能なアクセスポイントが検出される場合７０４、中央プロセッサ２０１は、再び、利用可能なアクセスポイントのそれぞれの識別子（ＳＳＩＤ）を集約して、表示のために、それらの識別子（ＳＳＩＤ）を遠隔ワイヤレス対応装置１０５にワイヤレスに送る。さらに、利用可能なアクセスポイントのそれらの検出されたＩＤの各々は、認識７０６に対して、それ自体の一意的な識別子を有している。遠隔ワイヤレス対応装置１０５の制御装置４０３を介して、特定のアクセスポイントＳＳＩＤを選択することにより、ユーザは、メモリカード１０３を遠隔で制御して、その選択されたアクセスポイントとの通信を確立するようにワイヤレスモジュール２０７に命令できる。
【００４４】
いったん、ワイヤレスモジュール２０７と選択されたアクセスポイントとの間の通信が確立されると、遠隔ワイヤレス対応装置１０５上で選択されたサムネイルに対応する画像は、メモリカード１０３から１つ以上の予め定められているウェブサイトまたはサーバにワイヤレスに送られる。１つ以上の予め定められているウェブサイトまたはサーバの入力は、典型的に、メモリカード１０３をコンピュータに動作可能に接続することと、コンピュータを使用して、ウェブサイトまたはサーバの関連する詳細を入力することとにより行われる。また、代替的に、遠隔ワイヤレス対応装置１０５を使用して、制御装置４０３を使用することと、入力された詳細をメモリカード１０３の中央プロセッサにワイヤレスに送ることとにより、予め定められているウェブサイトまたはサーバの関連する詳細を入力してもよい。
【００４５】
オプションとして、中央プロセッサ２０１は、メモリカード１０３からの、選択された画像の直接のワイヤレス転送のための近くの遠隔電子装置がなくても、アクセスポイントの利用可能性を自動的に検索してもよい。
【００４６】
遠隔電子装置、または、予め定められているウェブサイト／サーバのいずれかへの、メモリカード１０３からの画像転送の完了のときに、メモリカード１０３の中央プロセッサ２０１は、それぞれのワイヤレスモジュール２０７、４０７を通して、遠隔ワイヤレス対応装置１０５のプロセッサ４０１に確認信号を送る。プロセッサ４０１はその後、ディスプレイ４０５を通して、または、振動器またはスピーカのような他の何らかの利用可能な手段を通して、遠隔ワイヤレス対応装置１０５においてローカルなユーザに、画像転送のステータスを示す。
【００４７】
遠隔ワイヤレス対応装置１０５とメモリカード１０３との間の通信は、その後、切断され７０９、遠隔ワイヤレス対応装置１０５は、それに応じて、そのオリジナル機能を再開する。
【００４８】
本発明の範囲または精神から逸脱することなく、他の実施形態を想定することができる。例えば、それぞれが複数のメニューおよびサブメニューアイテムを含むさまざまなインデックス画像ファイルを、遠隔ワイヤレス対応装置１０５中に記憶してもよい。この方法では、メモリカード１０３の中央プロセッサ２０１は、それらのさまざまなインデックス画像ファイルを、遠隔ワイヤレス対応装置１０５にワイヤレスに送る必要がない。電子装置１０１はまた、リアルタイム画像および／またはビデオデータを記録する画像センサ３０５の代わりに、リアルタイムオーディオデータを記録するオーディオセンサを有していてもよい。さらに、上述した原理に基づいて、電子装置１０１を電源投入および電源切断するためにも、遠隔ワイヤレス対応装置１０５を使用してもよい。
以下に、本願出願時の特許請求の範囲に記載された発明を付記する。
［１］電子装置において使用するためのメモリカードにおいて、
前記電子装置は、前記電子装置の外部にデジタルデータをエクスポートできない内蔵プロセッサを備え、
前記メモリカードは、
ワイヤレスモジュールと、
前記ワイヤレスモジュールを通して、遠隔ワイヤレス対応装置からワイヤレスに受信された命令にしたがって、前記電子装置の前記内蔵プロセッサを制御するように構成されている中央プロセッサとを具備するメモリカード。
［２］前記中央プロセッサは、前記電子装置の前記内蔵プロセッサから、画像センサのリアルタイムビューを要求し、前記ワイヤレスモジュールを通して、前記リアルタイムビューを前記遠隔ワイヤレス対応装置に向けてワイヤレスに送信するように構成されている、［１］記載のメモリカード。
［３］前記中央プロセッサは、前記電子装置の前記内蔵プロセッサを介して、３次元空間において移動するように前記画像センサに命令するように構成されている、［２］記載のメモリカード。
［４］前記中央プロセッサは、前記電子装置の前記内蔵プロセッサを介して、前記画像センサを制御するように構成されている、［２］または［３］記載のメモリカード。
［５］前記中央プロセッサは、前記ワイヤレスモジュールを通して、前記遠隔ワイヤレス対応装置からポジションおよび／またはテキストのデータをワイヤレスに受信するように構成されており、前記ポジションおよび／またはテキストのデータは、前記画像センサにより取り込まれた画像に関係している、［４］記載のメモリカード。
［６］前記中央プロセッサは、表示のために、前記ワイヤレスモジュールを通して、前記メモリカード中に記憶されているサムネイルバージョンの画像を前記遠隔ワイヤレス対応装置にワイヤレスに送信するように構成されている、［１］ないし［５］のいずれか１項記載のメモリカード。
［７］前記中央プロセッサは、前記遠隔ワイヤレス対応装置上に表示されている対応するサムネイルバージョンの画像が選択されたときに、前記ワイヤレスモジュールを通して、前記メモリカードから遠隔電子装置に直接、画像をワイヤレスに送信するように構成されている、［６］記載のメモリカード。
［８］前記中央プロセッサは、アクセスポイントの利用可能性を検出し、利用可能なアクセスポイントの検出のときに、前記ワイヤレスモジュールと前記アクセスポイントとの間の通信を確立するように構成されている、［６］または［７］記載のメモリカード。
［９］前記中央プロセッサは、前記メモリカードからの前記画像の直接のワイヤレス送信のための遠隔電子装置がなくても、アクセスポイントの利用可能性を自動的に検索するように構成されている、［８］記載のメモリカード。
［１０］複数の利用可能なアクセスポイントの検出のときに、前記中央プロセッサは、表示のために、前記ワイヤレスモジュールを通して、前記複数の利用可能なアクセスポイントに関係するＩＤを、前記遠隔ワイヤレス対応装置にワイヤレスに送信するように構成されている、［８］または［９］記載のメモリカード。
［１１］前記中央プロセッサは、前記遠隔ワイヤレス対応装置上に表示されている前記複数の利用可能なアクセスポイントのうちの１つの対応する識別が選択されたときに、そのアクセスポイントとの通信を確立するように、前記ワイヤレスモジュールに命令するように構成されている、［１０］記載のメモリカード。
［１２］前記中央プロセッサは、前記ワイヤレスモジュールと前記アクセスポイントとの間の前記通信が確立されたときに、前記ワイヤレスモジュールとそのアクセスポイントとを通して、前記メモリカードから予め定められているウェブサイトもしくはサーバに、画像をワイヤレスに送信するように構成されており、前記画像は、前記遠隔ワイヤレス対応装置上に表示されている選択されたサムネイル画像に対応している、［８］または［１１］記載のメモリカード。
［１３］前記中央プロセッサは、前記メモリカードから前記遠隔電子装置または前記予め定められているウェブサイトもしくはサーバへの前記画像転送の完了のときに、確認信号を前記遠隔ワイヤレス対応装置に送るように構成されている、［７］または［１２］記載のメモリカード。
［１４］前記中央プロセッサは、表示のために、前記ワイヤレスモジュールを通して、インデックス画像ファイルを前記遠隔ワイヤレス対応装置にワイヤレスに送るように構成されており、前記インデックス画像ファイルは、複数のメニューアイテムを含む、［１］ないし［１３］のいずれか１項記載のメモリカード。
［１５］前記遠隔ワイヤレス対応装置上に表示されている前記複数のメニューアイテムのうちの１つが選択されたときに、前記中央プロセッサは、
ｉ）前記電子装置の前記内蔵プロセッサから、前記画像センサのリアルタイムビューを要求し、前記ワイヤレスモジュールを通して、前記リアルタイムビューを遠隔ワイヤレス対応装置に向けてワイヤレスに送信することと、
ｉｉ）表示のために、前記ワイヤレスモジュールを通して、前記メモリカード中に記憶されているサムネイルバージョンの画像を、前記遠隔ワイヤレス対応装置にワイヤレスに送信することと
からなるグループから選択された機能を実行するように構成されている、［１４］記載のメモリカード。
［１６］［１］ないし［１５］のいずれか１項記載の前記メモリカードと、遠隔電子装置の外部にデジタルデータを独立的にエクスポートできない内蔵プロセッサとを備える前記遠隔電子装置を制御するワイヤレス対応装置において、
前記ワイヤレス対応装置は、命令にしたがって、前記遠隔電子装置を制御するように、前記遠隔電子装置に命令をワイヤレスに送るように構成されているワイヤレス対応装置。
［１７］前記ワイヤレス対応装置は、電気通信対応装置および／またはナビゲーションシステムである、［１６］記載のワイヤレス対応装置。
［１８］電子装置を制御する方法において、
前記電子装置は、［１］ないし［１５］のいずれか１項記載の前記メモリカードと、前記電子装置の外部にデジタルデータを独立的にエクスポートできない内蔵プロセッサとを備え、
前記方法は、
前記メモリカードが、前記ワイヤレスモジュールを通して、遠隔ワイヤレス対応装置から命令をワイヤレスに受信することと、
前記メモリカードが、前記受信された命令にしたがって、前記電子装置を制御することとを含む方法。
［１９］前記メモリカードが前記電子装置を制御することは、前記メモリカードの中央プロセッサが、前記電子装置の前記内蔵プロセッサから、画像センサのリアルタイムビューを要求し、表示のために、前記ワイヤレスモジュールを通して、前記リアルタイムビューを前記遠隔ワイヤレス対応装置に向けてワイヤレスに送信することを含む、［１８］記載の方法。
［２０］前記中央プロセッサが前記内蔵プロセッサを制御することは、前記中央プロセッサが、３次元空間において移動するように前記画像センサに命令することを含む、［１９］記載の方法。
［２１］前記中央プロセッサが前記内蔵プロセッサを制御することは、前記中央プロセッサが、前記メモリカード中に記憶させるための画像を取り込むように前記画像センサに命令することを含む、［１９］または［２０］記載の方法。
［２２］前記メモリカードは、前記遠隔ワイヤレス対応装置からポジションデータをワイヤレスに受信し、前記ポジションデータは、前記電子装置により取り込まれた前記画像に関係していることと、
前記メモリカードは、前記遠隔ワイヤレス対応装置からテキストデータをワイヤレスに受信し、前記テキストデータは、前記電子装置により取り込まれた前記画像に関係していることと
からなるグループから選択された少なくとも１つをさらに含む、［２１］記載の方法。
［２３］前記メモリカードは、表示のために、前記メモリカード中に記憶されているサムネイルバージョンの画像を前記遠隔ワイヤレス対応装置にワイヤレスに送信することと、
前記メモリカードは、前記遠隔ワイヤレス対応装置上に表示されている対応するサムネイルバージョンの画像が選択されたときに、前記メモリカードから遠隔電子装置に直接、画像をワイヤレスに送信することと、
前記メモリカードは、アクセスポイントの利用可能性を検出し、利用可能なアクセスポイントの検出のときに、前記ワイヤレスモジュールと前記アクセスポイントとの間の通信を確立することと
からなるグループから選択された少なくとも１つをさらに含む、［１８］ないし［２２］のいずれか１項記載の方法。
［２４］前記メモリカードからの前記画像の直接のワイヤレス送信のための前記遠隔電子装置がなくても、前記アクセスポイントの利用可能性を検出する前記メモリカードのステップは自動的である、［２３］記載の方法。
［２５］前記メモリカードは、複数の利用可能なアクセスポイントの検出のときに、前記遠隔ワイヤレス対応装置のスクリーン上での表示のために、前記ワイヤレスモジュールを通して、前記複数の利用可能なアクセスポイントに関係するＩＤを、前記遠隔ワイヤレス対応装置にワイヤレスに送信することと、
前記メモリカードは、前記遠隔ワイヤレス対応装置上に表示されている前記複数の利用可能なアクセスポイントのうちの１つの対応する識別が選択されたときに、そのアクセスポイントとの通信を確立することと、
前記メモリカードは、前記ワイヤレスモジュールと前記アクセスポイントとの間の通信が確立されたときに、前記ワイヤレスモジュールとそのアクセスポイントとを通して、前記メモリカードから予め定められているウェブサイトもしくはサーバに、画像をワイヤレスに送信し、前記画像は、前記遠隔ワイヤレス対応装置の前記スクリーン上に表示されている選択されたサムネイル画像に対応していることと、
前記メモリカードは、前記メモリカードから前記遠隔電子装置または前記予め定められているウェブサイトもしくはサーバへの前記画像転送の完了のときに、確認信号を前記遠隔ワイヤレス対応装置に送ることと、
前記メモリカードは、表示のために、インデックス画像ファイルを前記遠隔ワイヤレス対応装置に送り、前記インデックス画像ファイルは、複数のメニューアイテムを含むことと
からなるグループから選択された少なくとも１つをさらに含む、［２３］または［２４］記載の方法。
［２６］前記遠隔ワイヤレス対応装置のスクリーン上に表示されている前記複数のメニューアイテムのうちの１つが選択されたときに、前記方法は、
ｉ）前記メモリカードの前記中央プロセッサが、前記電子装置の前記内蔵プロセッサから、前記画像センサのリアルタイムビューを要求し、表示のために、前記ワイヤレスモジュールを通して、前記リアルタイムビューを前記遠隔ワイヤレス対応装置に向けてワイヤレスに送信することと、
ｉｉ）前記メモリカードの前記中央プロセッサが、表示のために、前記ワイヤレスモジュールを通して、前記メモリカード中に記憶されているサムネイルバージョンの画像を、前記ワイヤレスモジュールを通して前記遠隔ワイヤレス対応装置に送信することと
からなるグループから選択された少なくとも１つをさらに含む、［２５］記載の方法。
［２７］電子装置において、
［１］ないし［１５］のいずれか１項記載の前記メモリカードと、
前記電子装置の外部にデジタルデータを独立的にエクスポートできない内蔵プロセッサとを具備する電子装置。
［２８］リアルタイムビューを取り込む画像センサをさらに具備する、［２７］記載の電子装置。
【図１】
0005497203.tif 000002
【図２】
0005497203.tif 000003
【図３】
0005497203.tif 000004
【図４】
0005497203.tif 000005
【図５ａ】
0005497203.tif 000006
【図５ｂ】
0005497203.tif 000007
【図５ｃ】
0005497203.tif 000008